【手続補正書】
【提出日】平成21年5月19日(2009.5.19)
【手続補正１】
【補正対象書類名】特許請求の範囲
【補正対象項目名】全文
【補正方法】変更
【補正の内容】
【特許請求の範囲】
【請求項１】
缶端に取り付けられる可撓性タブであって、該タブは、
タブの前端部に位置する先端部と、
所定高さの外面を有するタブの後端部に位置するリフト部と、巻き返された又は折り返されたエッジを有する先端部と、所定の長さを有するタブと、
タブの長さ方向に沿って通る軸と、
タブの両側の先端部とリフト部との間でタブに形成された複数のスロットであって、複数のスロットは結合して、軸に対してほぼ直交する方向に延びる第１支点を形成し、第１支点は、リフト部が先端部に関して回転することを許容し、
リベット孔を有し、先端部の後方に位置するリベット受入部であって、リベット受入部は、先端部に一体に取り付けられており、
リベット孔に隣接して位置し、リベット受入部の外周の一部を取り囲み、両端を有する補助スロットであって、補助スロットの端部は第２支点を形成し、第２支点は、タブが支点周りに回転することを許容し、
リフト部の外面の前方に位置し、該外面よりも高さが低いパネル加工又はビード加工された領域と、
パネル加工又はビード加工された領域は、リフト部の外面に隣接し、リフト部の外面の前方に第１エッジを有し、第１エッジは、第１エッジの軸に対してほぼ直交する方向に延び、両端を有するものであり、
第１エッジの両端は、一端に付随する第２エッジ又は第３エッジを有しており、
第２エッジ及び第３エッジは、互いに対向する関係に配置され、第２及び第３エッジは、補助スロットとの合流点で終端しており、及び、
第２及び第３エッジは、補助スロットとの合流点で、第４エッジを通じて互いに一体に接続されている、
缶端に取り付けられる可撓性タブ。
【請求項２】
補助スロットは、Ｃ字状のスロットである請求項１に記載のタブ。
【請求項３】
複数のスロットと、パネル加工又はビード加工された領域との間に位置するコネクタをさらに含んでいる請求項１に記載のタブ。
【請求項４】
タブに取り付けられた缶端をさらに含んでいる請求項１に記載のタブ。
【請求項５】
缶端は、ビール缶端、飲料缶端及び食品缶端からなる群より選択される請求項４に記載のタブ。
【請求項６】
先端部及びリフト部は、連続するカール部によって、複数のスロットの下側で接続されている請求項１に記載のタブ。
【請求項７】
複数のスロットから上方に延びる軸をさらに含んでおり、該軸は、タブの長さ方向に沿って通る軸と８０°〜１００°の角度θをなす請求項１に記載のタブ。
【請求項８】
リフト部は、約４５°未満の角度で第１支点周りに上方に曲がり、その角度は、リフト部を通って延びる線と、タブの長さ方向に沿って通る軸との間に形成される角度によって形成される請求項１に記載のタブ。
【請求項９】
リフト部は、約３０°未満の角度で第１支点周りに上方に曲がり、その角度は、リフト部を通って延びる線と、タブの長さ方向に沿って通る軸との間に形成される角度によって形成される請求項１に記載のタブ。
【請求項１０】
タブのリフト部に位置する指孔をさらに含んでいる請求項１に記載のタブ。
【請求項１１】
缶端に取り付けられる可撓性タブの製造用ツーリングであって、タブは、
タブの前端部に位置する先端部と、
所定高さの外面を有するタブの後端部に位置するリフト部と、巻き返された又は折り返されたエッジを有する先端部と、所定の長さを有するタブと、
タブの長さ方向に沿って通る軸と、
タブの両側の先端部とリフト部との間で、タブに形成された複数のスロットであって、複数のスロットは結合して、軸に対してほぼ直交する方向に延びる第１支点を形成し、第１支点は、リフト部が先端部に関して回転することを許容し、
リベット孔を有し、先端部の後方に位置するリベット受入部であって、リベット受入部は、先端部に一体に取り付けられており、
リベット孔に隣接して位置し、リベット受入部の外周の一部を取り囲み、両端を有する補助スロットであって、補助スロットの端部は第２支点を形成し、第２支点は、タブが支点周りに回転することを許容し、
リフト部の外面の前方で、該外面よりも高さが低く、複数のスロットに隣接して位置するパネル加工又はビード加工された領域と、
パネル加工又はビード加工された領域は、リフト部の外面に隣接し、リフト部の外面の前方に第１エッジを有し、第１エッジは、第１エッジの軸に対してほぼ直交する方向に延び、両端を有するものであり、
第１エッジの両端は、一端に付随する第２エッジ又は第３エッジを有しており、
第２エッジ及び第３エッジは、互いに対向する関係に配置され、第２及び第３エッジは、補助スロットとの合流点で終端しており、及び、
第２及び第３エッジは、補助スロットとの合流点で、第４エッジを通じて互いに一体に接続されている、
缶端に取り付けられる可撓性タブの製造用ツーリング。
【請求項１２】
複数のスロットから上方に延びる軸をさらに含んでおり、該軸は、タブの長さ方向に沿って通る軸と８０°〜１００°の角度θをなす請求項１１に記載のツーリング。
【請求項１３】
リフト部は、約４５°未満の角度で第１支点周りに上方に曲がり、その角度は、リフト部を通って延びる線と、タブの長さ方向に沿って通る軸との間に形成される角度によって形成される請求項１１に記載のツーリング。
【請求項１４】
リフト部は、約３０°未満の角度で第１支点周りに上方に曲がり、その角度は、リフト部を通って延びる線と、タブの長さ方向に沿って通る軸との間に形成される角度によって形成される請求項１１に記載のツーリング。
【請求項１５】
スロットパンチ及びスロットダイをさらに含んでおり、スロットダイは、スロットパンチの下側面に位置する尖ったエッジが嵌まる孔を有しており、スロットダイは、孔の外周に隣接したスロットダイの上側面の周囲に位置する尖ったエッジを有しており、スロットパンチとスロットダイは、複数のスロットの１つを形成するために構成されている請求項１１に記載のツーリング。
【請求項１６】
突出部を有するツーリングをさらに含んでおり、突出部は、パネル加工又はビード加工された領域の形状とを相補する形状を有する請求項１１に記載のツーリング。
【請求項１７】
凹所を有するツーリングをさらに含んでおり、凹所は、パネル加工又はビード加工された領域の形状を相補する形状を有する請求項１１に記載のツーリング。
【請求項１８】
缶端に取り付けられる可撓性タブの製造方法であって、該方法は、
材料の長さ方向に沿って通る軸に対してほぼ直交する方向に、材料に複数のスロットを互いに対向する関係となるように、切開、穿孔又は切削するステップ、及び、
材料の外面の前方にパネル加工又はビード加工を施すステップであって、タブの後端部で、外面より高さが低く、複数のスロットに隣接して位置する、所定高さのリフト部を有しており、パネル加工又はビード加工された領域は、リフト部の外面に隣接し、リフト部の外面の前方に第１エッジを有しており、第１エッジは、軸に対してほぼ直交する方向に延び、両端を有しており、
第１エッジの両端は、一端に付随する第２エッジ又は第３エッジを有しており、
第２エッジ及び第３エッジは、互いに対向する関係に配置され、ほぼ軸方向にあり、第２及び第３エッジは、補助スロットとの合流点で終端しており、及び、
第２及び第３エッジは、補助スロットとの合流点で、第４エッジを通じて互いに一体に接続されている、
缶端に取り付けられる可撓性タブの製造方法。
【請求項１９】
リベット孔を形成するために、材料を穿孔、切開又は切削するステップをさらに含んでいる請求項１８に記載の方法。
【請求項２０】
補助スロットを形成するために、材料を穿孔、切開又は切削するステップをさらに含んでいる請求項１８に記載の方法。